【事件の表示】
　平成１１年特許願第３０１４０５号「遊戯台及び遊戯台用スタートレバー」拒絶査定不服審判事件〔平成１３年　５月　８日出願公開、特開２００１−１２０７０９〕について、次のとおり審決する。
【結　論】
　本件審判の請求は、成り立たない。
【理　由】
１．手続の経緯・本願発明
　本願は、平成１１年１０月２２日の出願であって、平成１６年３月１日に拒絶査定がなされ、これに対し、平成１６年４月５日に拒絶査定に対する審判請求がなされたものであって、その請求項２に係る発明は、特許請求の範囲の請求項２に記載された事項により特定される次のとおりのものと認める。（以下、「本願発明」という。）
「複数種類の絵柄がおもてに配置された回転可能なリールを複数個備え、遊戯媒体をベットし、スタートレバーにより前記リールの回転を開始し、次に前記リールを停止させ、前記リールの停止時におけるリール絵柄表示窓上の絵柄の組み合わせから入賞を定め、所定数の遊戯媒体を払い出す遊戯台であって、
　前記スタートレバーは、クレジットより所定の枚数の遊戯媒体をベットする操作機能と、リールの回転を開始する操作機能とを備え、遊戯者はこれを選択して操作でき、
　前記スタートレバーは、上下並びに左右の方向に倒すことができ、前記倒す方向に対応して前記クレジットから所定の数の遊戯媒体をベットする操作と、前記リールの回転を開始する操作の機能が割り当てられ、
　前記スタートレバーを上下左右方向のみ自在に移動操作できるように、当該スタートレバーの軸体部を誘導するガイド孔を備えたことを特徴とする遊戯台。」
　　　　　　　　　　　　　　　　　　　　　　　　　　　　　　　　　
２．引用発明
　引用刊行物　１．特開平６−１４２２７５号公報　　　　　　　　　　
　　　　　　　２．特開平１０−３２８３５２号公報　　　　　　　　　
　　　　　　　　　　　　　　　　　　　　　　　　　　　　　　　　　
　原査定の拒絶の理由に引用された、本願の出願前に頒布された刊行物である上記の各刊行物には、それぞれ次の発明が記載されている。
　　　　　　　　　　　　　　　　　　　　　　　　　　　　　　　　　
(i) 特開平６−１４２２７５号公報
　特開平６−１４２２７５号公報（以下、「引用例１」という。）には「遊技機」に関して、以下の記載がある。
1-a「回転リールと、この回転リールを回転させる駆動源と、クレジットメダルを投入させるためのクレジット投入信号、又は前記駆動源の駆動を開始させるためのスタート信号を選択的に出力するスタートスイッチと、このスタートスイッチからのクレジット投入信号にもとづいて、所定枚数のクレジットメダルを遊技メダルとして機内に投入させるクレジットメダル自動投入手段と、前記スタートスイッチからのスタート信号にもとづいて、前記駆動源の駆動を開始させるリール駆動制御手段とを備えたことを特徴とするスロットマシン。」（特許請求の範囲の請求項１）
1-b「図２中、10はスロットマシンを示すものであり、このスロットマシン10の高さのほぼ中央には、方形の窓部11が形成され、この窓部11内には、複数個、本実施例では３個の回転リール12〜14がそれぞれ配置されている。
　上記３個の回転リール12〜14は、図２の向かって左側から順に、左回転リール12と、中回転リール13と、右回転リール14とから構成されている。」（段落【００１４】、図２）
1-c「一方、図５には、本発明の他の実施例を示すものであり、同図はスロットマシンのスタートスイッチの説明図である。本実施例の特徴は、図５に示すように、スタートスイッチ25を四方に操作できるようにすることで、任意の枚数のクレジットメダルを投入できるようにした点にある。」（段落【００３５】、図５）    
1-d「すなわち、スタートスイッチ25は、図５に示すように、上下方向に加えて、左右方向の四方に操作でき、常時は中央の位置にばね（図示せず）の復元力などにより付勢されている。そして、スタートスイッチ25が、その中立位置から上方に移動されると、最大遊技メダル数に等しい枚数、例えば通常ゲーム中は「３」枚のクレジットメダルを投入させるためのクレジットメダル３枚投入信号が出力される。また、スタートスイッチ25が、その中立位置から、同図において向かって左方向に移動されると、「２」枚のクレジットメダルを投入させるためのクレジットメダル２枚投入信号が出力される。さらに、スタートスイッチ25が、その中立位置から、同図において向かって右方向に移動されると、「１」枚のクレジットメダルを投入させるためのクレジットメダル１枚投入信号が出力される。また、スタートスイッチ25が、その中立位置から下方に移動されると、回転リール12〜14の回転を開始させるためのスタート信号が出力される。」（段落【００３６】）
1-e「したがって、スタートスイッチ25が、その中立位置を中心に上下左右方向にそれぞれ移動されることで、クレジットメダル３枚投入信号と、クレジットメダル２枚投入信号と、クレジットメダル１枚投入信号と、スタート信号とがスタートスイッチ25から選択的に出力される。なお、クレジットメダル３枚投入信号、クレジットメダル２枚投入信号及びクレジットメダル１枚投入信号は、図示しないが、中央制御装置のクレジットメダル自動投入手段に出力される。クレジットメダル自動投入手段は、クレジットメダル３枚投入信号を入力すると３枚のクレジットメダルを、クレジットメダル２枚投入信号を入力すると２枚のクレジットメダルを、クレジットメダル１枚投入信号を入力すると１枚のクレジットメダルを、遊技メダルとして機内にそれぞれ投入させる。」（段落【００３７】）
　　　　　　　　　　　　　　　　　　　　　　　　　　　　　　　　　
　上記の記載によれば、引用例１（特開平６−１４２２７５号公報）には、以下の発明（以下、「引用発明１」という）が記載されていると認められる。
「スロットマシン10のほぼ中央に形成された方形の窓部11内に配置された３個の回転リール12〜14を回転させる駆動源と、クレジットメダルを投入させるためのクレジット投入信号、又は前記駆動源の駆動を開始させるためのスタート信号を選択的に出力するスタートスイッチ25と、スタートスイッチ25を四方に操作することで、このスタートスイッチ25からのクレジット投入信号にもとづいて、１ないし３枚のクレジットメダルを遊技メダルとして機内に投入させるクレジットメダル自動投入手段と、前記スタートスイッチ25からのスタート信号にもとづいて、前記駆動源の駆動を開始させるリール駆動制御手段とを備え、スタートスイッチ25がその中立位置から上方に移動されると、「３」枚のクレジットメダルを投入させるためのクレジットメダル３枚投入信号が出力され、向かって左方向に移動されると、「２」枚のクレジットメダルを投入させるためのクレジットメダル２枚投入信号が出力され、右方向に移動されると、「１」枚のクレジットメダルを投入させるためのクレジットメダル１枚投入信号が出力され、また、下方に移動されると、回転リール12〜14の回転を開始させるためのスタート信号が出力され、クレジットメダル自動投入手段は、クレジットメダル３枚投入信号を入力すると３枚のクレジットメダルを、クレジットメダル２枚投入信号を入力すると２枚のクレジットメダルを、クレジットメダル１枚投入信号を入力すると１枚のクレジットメダルを、遊技メダルとして機内にそれぞれ投入させる、スロットマシン。」
　　　　　　　　　　　　　　　　　　　　　　　　　　　　　　　　　
(ii) 特開平１０−３２８３５２号公報
　特開平１０−３２８３５２号公報（以下、「引用例２」という。）には以下の記載がある。
2-a「所定個数のコインを投入して、前記所定個数に応じたシンボル列の選択を行った後に、スタートスイッチを操作することで、夫々異なるシンボルを外周面に設けた複数のリールを一斉に回転駆動して、前記リールの夫々に対応したストップスイッチを操作することで、前記リールを個別に停止させることにより、前記シンボルが横方向または斜め方向に同じに揃うシンボル列になるようにすることで、前記シンボル列に応じた個数の賞品コインを排出するスロットマシン用のスタートスイッチであって、前記スロットマシンの操作面に対して着脱自在に固定されるとともに中空部を形成した基部と、一端に操作部を他端に光学式センサの光軸を通過するアクチエータ部を設けた軸体と、該軸体を前記中空部内において回動自在に、かつその長手方向に移動自在に支持することで前記アクチエータ部が前記光学式センサの光軸を遮蔽しない状態にする支持部と、前記軸体を中立位置に移動付勢することで、前記アクチエータ部が前記光学式センサの光軸を遮蔽する状態に維持する付勢部と、前記基部に対して着脱自在に設けられるとともに前記光学式センサを着脱自在に設けた取付部材とから構成されることを特徴とするスロットマシン用のスタートスイッチ。」（特許請求の範囲の請求項６）
2-b「また、前面パネル２の右縁部にはコイン投入口９が配設されており、遊戯者は金額に応じたコインＣを借りて、１個から３個のコインを投入口９から投入し、所定個数に応じたシンボル列の選択を行なう。その後にスタートスイッチ１０の操作を行うと、制御部１４からの指令により、夫々のリールに対応したモータまたは１つのモータ４のクラッチ機構（不図示）が起動されて一斉にシンボルがリール下方に向かうようにリール３が回転駆動される。
・・・
一方、スタートスイッチ１０は図示のように上下及び前方に操作できるようにして、始めての遊戯者であっても戸惑いなく操作できるように構成されている。・・・」（段落【００１８】【００２１】）    
2-c「一方、前面パネル２には、図１において破線で示した小判型の取付け孔２ａが穿設されており、基部となるベース２５のフランジ部２５ｇを図示のように取付け孔２ａの縁部において保持するように固定することで、操作レバーとなる軸体２２が上下方向に移動する関係になるようにしている。尚、取付け孔２ａの平行部分が左右方向になるように穿設すれば、操作レバーの操作方向は左右方向に設定できる。」（段落【００３２】）
　　　　　　　　　　　　　　　　　　　　　　　　　　　　　　　　　
　上記の記載によれば、引用例２（特開平１０−３２８３５２号公報）には、以下の発明（以下、「引用発明２」という）が記載されていると認められる。
「所定個数のコインを投入してスタートスイッチを操作することで、夫々異なるシンボルを外周面に設けた複数のリールを一斉に回転駆動し、前記リールの夫々に対応したストップスイッチを操作することで、前記リールを個別に停止させ、前記シンボルが横方向または斜め方向に揃うようにすることで、前記シンボル列に応じた個数の賞品コインを排出するスロットマシン用のスタートスイッチであって、スタートスイッチは、中空部を形成した基部と、一端に操作部を他端に光学式センサの光軸を通過するアクチエータ部を設けた軸体と、該軸体を前記中空部内において回動自在に、かつその長手方向に移動自在に支持することで前記アクチエータ部が前記光学式センサの光軸を遮蔽しない状態にする支持部と、前記軸体を中立位置に移動付勢することで、前記アクチエータ部が前記光学式センサの光軸を遮蔽する状態に維持する付勢部と、前記基部に対して着脱自在に設けられるとともに前記光学式センサを着脱自在に設けた取付部材とから構成され、前面パネル２には、小判型の取付け孔２ａ（図１破線）が穿設されており、基部となるベース２５のフランジ部２５ｇを取付け孔２ａの縁部において保持するように固定することで、操作レバーとなる軸体２２が上下方向に移動する関係になるようにしており、取付け孔２ａの平行部分が左右方向になるように穿設すれば、操作レバーの操作方向は左右方向に設定できる、スロットマシン用のスタートスイッチ。」
　　　　　　　　　　　　　　　　　　　　　　　　　　　　　　　　　
３．対比・判断 　 　 
　本願発明と引用発明１とを対比すると、引用発明１における「回転リール12〜14」は本願発明における「回転可能なリール」に対応しており、同様に、「３個の回転リール12〜14」は「回転可能なリールを複数個（備え）」に、「遊技メダル」は「遊戯媒体」に、「（遊技メダルとして機内に）投入」は「（遊戯媒体を）ベット」に、「スタートスイッチ25」は「スタートレバー」に、「窓部11」は「リール絵柄表示窓」に、「クレジットメダル」は「クレジット」に、それぞれ対応しており、さらに 引用発明１について次のことがいえる。
　　　　　　　　　　　　　　　　　　　　　　　　　　　　　　　　　
(i) 引用発明１における「回転リール12〜14」（「回転可能なリール」）は、その機能に照らすと、複数種類の絵柄がおもてに配置されていることが明らかであるとともに、停止時における「窓部11」（「リール絵柄表示窓」）上の絵柄の組み合わせから入賞を定め、所定数の「遊技メダル」（「遊戯媒体」）を払い出すこともまた明らかである。
　さらに、引用発明１における「スロットマシン10」は、本願発明における「遊戯台」に包含されるものである。 
　そうすると、引用発明１は、本願発明を特定する「複数種類の絵柄がおもてに配置された回転可能なリールを複数個備え、遊戯媒体をベットし、スタートレバーにより前記リールの回転を開始し、次に前記リールを停止させ、前記リールの停止時におけるリール絵柄表示窓上の絵柄の組み合わせから入賞を定め、所定数の遊戯媒体を払い出す遊戯台」の事項を実質的に備えているといえる。　　　　　　　　　　　　　　　　　　　　　　　　　　　
　　　　　　　　　　　　　　　　　　　　　　　　　　　　　　　　  
(ii) 引用発明１における「スタートスイッチ25」（「スタートレバー」）は、「中立位置から上方に移動されると、「３」枚のクレジットメダルを投入させるためのクレジットメダル３枚投入信号が出力され、向かって左方向に移動されると、「２」枚のクレジットメダルを投入させるためのクレジットメダル２枚投入信号が出力され、右方向に移動されると、「１」枚のクレジットメダルを投入させるためのクレジットメダル１枚投入信号が出力され、また、下方に移動されると、回転リール12〜14の回転を開始させるためのスタート信号が出力され」るものであり、「クレジットメダル」（「クレジット」）より「３」枚ないし「１」枚の「遊技メダル」（本願発明における「所定の枚数の遊戯媒体」に対応する。）を「投入」（「ベット」）する操作機能と、リールの回転を開始する操作機能とを備えており、遊技者（遊戯者）はこれを選択して操作でき、倒す方向に対応して前記「クレジットメダル」（「クレジット」）から「３」枚ないし「１」枚の「遊技メダル」（「所定の枚数の遊戯媒体」）を「投入」（「ベット」）する操作と、前記リールの回転を開始する操作の機能が割り当てられているということができる。
　そうすると、引用発明１は、本願発明を特定する「前記スタートレバーは、クレジットより所定の枚数の遊戯媒体をベットする操作機能と、リールの回転を開始する操作機能とを備え、遊戯者はこれを選択して操作でき、前記スタートレバーは、上下並びに左右の方向に倒すことができ、前記倒す方向に対応して前記クレジットから所定の数の遊戯媒体をベットする操作と、前記リールの回転を開始する操作の機能が割り当てられ」の事項を備えている。　　　　　　　　　　　　　　　　　　　　　　　　　　　　　　　　
　以上の事項より、本願発明と引用発明１とは以下の点で一致し、また、相違していると認められる。
　　　　　　　　　　　　　　　　　　　　　　　　　　　　　　　　　
一致点；
　複数種類の絵柄がおもてに配置された回転可能なリールを複数個備え、遊戯媒体をベットし、スタートレバーにより前記リールの回転を開始し、次に前記リールを停止させ、前記リールの停止時におけるリール絵柄表示窓上の絵柄の組み合わせから入賞を定め、所定数の遊戯媒体を払い出す遊戯台であって、前記スタートレバーは、クレジットより所定の枚数の遊戯媒体をベットする操作機能と、リールの回転を開始する操作機能とを備え、遊戯者はこれを選択して操作でき、前記スタートレバーは、上下並びに左右の方向に倒すことができ、前記倒す方向に対応して前記クレジットから所定の数の遊戯媒体をベットする操作と、前記リールの回転を開始する操作の機能が割り当てられた遊戯台、である点。
　　　　　　　　　　　　　　　　　　　　　　　　　　　　　　　　　
相違点；                             
　本願発明は、前記スタートレバーを上下左右方向のみ自在に移動操作できるように、当該スタートレバーの軸体部を誘導するガイド孔を備えているのに対して、引用発明１は、スタートレバーの軸体部を誘導するガイド孔を備えていない点。
　　　　　　　　　　　　　　　　　　　　　　　　　　　　　　　　　
　上記の相違点について検討する。
　引用発明１は、上下並びに左右の方向に移動操作可能な「スタートスイッチ25」（「スタートレバー」）を備えているが、該「スタートスイッチ25」（「スタートレバー」）を移動操作可能に支持するための具体的な支持構造については、引用例１に明示的な記載がない。
　しかしながら、「スタートスイッチ25」（「スタートレバー」）を移動操作可能に支持するには、例えば、引用発明２が備えるような、「スタートスイッチ25」（「スタートレバー」）の軸部の移動軌跡と少なくとも干渉することのない孔または溝を、当該支持部に設けることが不可欠であることは当業者にとって自明な事項というべきである。
　すなわち引用発明２は、「基部」と、「一端に操作部を設けた軸体」と、「該軸体を前記中空部内において回動自在に、かつその長手方向に移動自在に支持する支持部」を備え、「上下及び前方に操作できるように構成され」た「スロットマシン用のスタートスイッチ」であり、「前面パネル２」に「穿設」した「小判型の取付け孔２ａ（図１破線）」により「基部となるベース２５のフランジ部２５ｇ」を「縁部において保持するように固定することで、操作レバーとなる軸体２２が上下方向に移動する関係になるようにし」たものであって、「取付け孔２ａの平行部分が左右方向になるように穿設すれば、操作レバーの操作方向は左右方向に設定できる」ものであり、「移動」の方向は、「上下方向」または「左右方向」のいずれにも対応が可能としたものである。
　ここで、上下方向及び左右方向に移動操作可能な操作レバーにおいて、該操作レバーの軸体部を誘導するガイド孔を当該支持部に設けて、上下左右方向のみ自在に移動操作可能に構成することは、下記に周知例１ないし３として例示するように周知慣用の技術手段である。
　そうすると、上記周知慣用の技術手段を参酌して、引用発明１が実質上備える「スタートスイッチ25」（「スタートレバー」）を移動操作可能に支持する支持部における、上記「移動操作可能」な構成を、「スタートスイッチ25」（「スタートレバー」）の軸体部を誘導するガイド孔として形成することは、当業者にとって想到容易というべきである。
　そして、本願発明が奏する効果も、引用発明１並びに引用発明２及び周知慣用の技術手段が奏する効果の範囲内のものであって、格別顕著なものとはいえない。
　したがって、本願発明は、引用発明１並びに引用発明２及び周知慣用の技術手段に基づいて当業者が容易に想到することができたものである。
　　　　　　　　　　　　　　　　　　　　　　　　　　　　　　　　　
【周知例】
周知例１：実願昭５４−１４３５８４号（実開昭５６−６１２６９号）の願　　　　　書に添付した明細書及び図面の内容を撮影したマイクロフィルム
　操作レバー(1)を支持するガイド板(17)に、操作レバー(1)の丸軸部(7)を挿通する中心孔(18)と、該中心孔(18)より４方向に伸びる誘導孔(19)とよりなるガイド孔(16)を設け、該操作レバー(1)を上下左右または前後左右に倒伏可能に構成したゲーム装置用の操作レバースイッチ。（実用新案登録請求の範囲、第６頁第５−１０行（浄書版補正書　第４頁第９−１６行）、第３図）
　　　　　　　　　　　　　　　　　　　　　　　　　　　　　　　　　
周知例２：特開平９−７３３６３号公報
　操作パネル３と、操作パネル３から突出した操作レバー９を備えたジョイスティック４から構成され、操作パネル３に設けた開口４４にはカバー１０を設け、カバー１０には溝孔１１Ｎ、１１Ｍを縦横十文字に形成して操作レバー９の移動方向を規制する、操作入力装置。（フロント頁【構成】、段落【００２０】【００２１】【００３８】−【００４０】、図１２）
　　　　　　　　　　　　　　　　　　　　　　　　　　　　　　　　　
周知例３：特開平７−２０００８９号公報
　レバー部１ａの先端に球状の握り部１ｂが形成された操作レバー１をパネル９に対して傾動自在に取り付け、パネル９の上面には、操作レバー１の上下左右の４方向の操作を案内する十字型に形成したガイド溝５を設けたジョイスティック。（段落【０００９】、図２）
　　　　　　　　　　　　　　　　　　　　　　　　　　　　　　　　　
４．むすび
　以上のとおりであるから、本願発明は、特許法第２９条第２項の規定により特許を受けることができない。
　よって、本願の他の請求項について論じるまでもなく、結論のとおり審決する。